(57)【要約】【課題】構成の複雑化を回避しつつ操作性を向上させる。【解決手段】直流成分除去用のコンデンサを介して入力した交流信号の被測定量を含む１または複数の被測定量を測定可能な測定部と、移動部材に対する操作に伴って移動する接点Ｃ１および接点Ｃ１の移動経路Ｗ上に配設された接点Ｃ２ａ〜Ｃ２ｃを有して、接点Ｃ１と接点Ｃ２ａ〜Ｃ２ｃとの接続および非接続により、測定部が交流信号の被測定量を測定する第１状態、および測定部が交流信号の被測定量の測定を停止する第２状態を切替可能な切替スイッチとを備え、切替スイッチは、第１状態と第２状態との切替えの際の移動経路Ｗ上に配設された接点Ｃ３ａ，Ｃ３ｂを有して、切替えの際の接点Ｃ１の移動の過程において接点Ｃ１と接点Ｃ３ａ，Ｃ３ｂとが接続されたときにコンデンサを短絡させてコンデンサを短絡放電させる放電スイッチとして機能する。【選択図】図６
2019124512.tif 000002
【特許請求の範囲】
【請求項１】
直流成分除去用のコンデンサを有して当該コンデンサを介して入力した交流信号の被測定量を含む１または複数の被測定量を測定可能な測定部と、
移動部材に対する操作に伴って移動する第１接点および当該第１接点の移動経路上に配設された第２接点を有して、当該第１接点と当該第２接点との接続および非接続により、前記測定部が前記交流信号の被測定量を測定する第１状態、および当該測定部が当該交流信号の被測定量の測定を停止する第２状態を切替可能な切替スイッチとを備えた測定装置であって、
前記切替スイッチは、前記第１状態と前記第２状態との切替えの際の前記移動経路上に配設された第３接点を有して、当該切替えの際の当該第１接点の移動の過程において当該第１接点と当該第３接点とが接続されたときに前記コンデンサを短絡させて当該コンデンサを短絡放電させる放電スイッチとして機能する測定装置。
【請求項２】
前記測定部を作動させる作動用電力を生成する電源部を備え、
前記切替スイッチは、前記第１状態に規定する前記第１接点の位置である第１位置と、前記第２状態としての前記測定部に前記作動用電力が供給されない状態に規定する当該第１接点の位置である第２位置とが前記移動経路上で隣接し、当該移動経路上における当該第１位置と当該第２位置との間の第３位置に前記第３接点が位置するように構成されている請求項１記載の測定装置。
【発明の詳細な説明】
【技術分野】
【０００１】
本発明は、測定部と切替スイッチとを備えた測定装置に関するものである。
【背景技術】
【０００２】
交流信号の被測定量（電圧値や電流値）を測定する測定装置では、直流成分除去用のコンデンサを有する回路構成（例えば、下記特許文献１の図２に開示されている入力回路）が採用される。このような回路構成を採用することで、直流成分が重畳している交流信号に含まれているその直流成分が除去されて交流成分だけの被測定量を測定することが可能となる。一方、このような回路構成を採用した場合には、交流信号の被測定量を測定する際にコンデンサに電荷が蓄積されるため、交流信号の被測定量を測定した後に測定装置の電源を切断し、次に電源を投入したときには、コンデンサに蓄積されている電荷が流れることによって、測定対象の交流信号を入力していない状態であっても、電源投入時点からしばらくの間、あたかも交流信号が入力されているかのように測定値が表示されるという課題が生じることがある。このような課題を解消可能な構成として、次のような構成が知られている。具体的には、コンデンサを短絡させてコンデンサに蓄積された電荷を放電させる専用のスイッチを設け、測定装置の処理部の処理（ソフトウェアでの処理）により、測定装置の電源投入直後にこのスイッチをオン動作させる構成が知られている。また、測定装置の処理部の処理（ソフトウェアでの処理）により、測定装置の電源投入時点からコンデンサに蓄積された電荷が自然に放電されるまでの予め規定された規定時間だけ表示を停止する構成が知られている。これらの構成を採用することで、直流成分除去用のコンデンサを備えたことによる上記の課題を解消することが可能となる。
【先行技術文献】
【特許文献】
【０００３】
【特許文献１】特開平６−２０７９５３号公報（第２頁、第２図）
【発明の概要】
【発明が解決しようとする課題】
【０００４】
ところが、直流成分除去用のコンデンサを備えたことによる課題を解消可能な上記の構成にも、改善すべき以下の課題ある。具体的には、放電専用のスイッチを設け、処理部の処理によってこのスイッチを動作させる構成では、放電専用のスイッチを設ける分、構成が複雑になることに加えて、電源投入直後に処理部による特別な処理を実行させる必要があるため、処理が複雑になるという課題が存在する。また、処理部の処理によって規定時間だけ表示を停止する構成では、電源投入直後に処理部による特別な処理を実行させる必要があるために処理が複雑になることに加えて、規定時間が経過するまで測定を開始できないため、操作性が低下するという課題が存在する。
【０００５】
本発明は、かかる課題に鑑みてなされたものであり、構成の複雑化を回避しつつ操作性を向上し得る測定装置を提供することを主目的とする。
【課題を解決するための手段】
【０００６】
上記目的を達成すべく請求項１記載の測定装置は、直流成分除去用のコンデンサを有して当該コンデンサを介して入力した交流信号の被測定量を含む１または複数の被測定量を測定可能な測定部と、移動部材に対する操作に伴って移動する第１接点および当該第１接点の移動経路上に配設された第２接点を有して、当該第１接点と当該第２接点との接続および非接続により、前記測定部が前記交流信号の被測定量を測定する第１状態、および当該測定部が当該交流信号の被測定量の測定を停止する第２状態を切替可能な切替スイッチとを備えた測定装置であって、前記切替スイッチは、前記第１状態と前記第２状態との切替えの際の前記移動経路上に配設された第３接点を有して、当該切替えの際の当該第１接点の移動の過程において当該第１接点と当該第３接点とが接続されたときに前記コンデンサを短絡させて当該コンデンサを短絡放電させる放電スイッチとして機能する。
【０００７】
また、請求項２記載の測定装置は、請求項１記載の測定装置において、前記測定部を作動させる作動用電力を生成する電源部を備え、前記切替スイッチは、前記第１状態に規定する前記第１接点の位置である第１位置と、前記第２状態としての前記測定部に前記作動用電力が供給されない状態に規定する当該第１接点の位置である第２位置とが前記移動経路上で隣接し、当該移動経路上における当該第１位置と当該第２位置との間の第３位置に前記第３接点が位置するように構成されている。
【発明の効果】
【０００８】
請求項１記載の測定装置によれば、第１状態と第２状態との切替えの際の第１接点の移動経路上に配設された第３接点を有して、切替えの際の第１接点の移動の過程において第１接点と第３接点とが接続されたときに直流成分除去用のコンデンサを短絡させて短絡放電させる放電スイッチとして機能するように切替スイッチを構成したことにより、放電専用のスイッチを設けて、処理部の処理によって放電専用のスイッチを動作させる構成や、処理部の処理によって規定時間だけ表示を停止する構成とは異なり、放電専用のスイッチを設けることによって構成が複雑となったり、規定時間が経過するまで測定が開始できないため操作性が低下したりするという不都合を解消して、構成の複雑化を回避しつつ操作性を十分に向上させることができる。
【０００９】
また、請求項２記載の測定装置によれば、第１状態に規定する第１接点の位置である第１位置と第２状態としての測定部に作動用電力が供給されない状態に規定する第１接点の位置である第２位置とが移動経路上で隣接し、移動経路上における第１位置と第２位置との間の第３位置に第３接点が位置するように切替スイッチを構成したことにより、第１接点を第２位置に位置させることによって測定部に作動用電力が供給されない状態となり、これによって直前の交流電圧値の測定において電荷が蓄積されたコンデンサがそのままの状態となったとしても、次の交流電圧値の測定のために第１接点を第２位置から第１位置まで移動させる過程において、第１接点と第３接点との接続により、コンデンサに蓄積されている電荷を確実に放電させることができる。このため、この測定装置によれば、測定対象の交流信号を入力していない状態であるにも拘わらず、コンデンサに蓄積されている電荷が測定部内を流れ、この信号の電圧値が表示される事態を確実に防止することができる。
【図面の簡単な説明】
【００１０】
【図１】テスタ１の斜視図である。
【図２】テスタ１の構成を示す構成図である。
【図３】測定回路２０ａの構成を示す構成図である。
【図４】テスタ１の分解斜視図である。
【図５】ロータリースイッチ１３の構成を示す断面図である。
【図６】接点基板３２の構成を説明する説明図である。
【図７】テスタ１の使用方法および動作を説明する第１の説明図である。
【図８】テスタ１の使用方法および動作を説明する第２の説明図である。
【図９】テスタ１の使用方法および動作を説明する第３の説明図である。
【図１０】テスタ１の使用方法および動作を説明する第４の説明図である。
【図１１】テスタ１の使用方法および動作を説明する第５の説明図である。
【図１２】テスタ１の使用方法および動作を説明する第６の説明図である。
【図１３】テスタ１の使用方法および動作を説明する第７の説明図である。
【図１４】ロータリースイッチ１３Ａの構成を説明する説明図である。
【図１５】ロータリースイッチ１１３の構成を説明する説明図である。
【図１６】ロータリースイッチ２１３の構成を説明する説明図である。
【発明を実施するための形態】
【００１１】
以下、測定装置の実施の形態について、添付図面を参照して説明する。
【００１２】
最初に、図１に示すテスタ１の構成について説明する。テスタ１は、測定装置の一例であって、同図に示すように、本体部２および一対のプローブ３，３を備えて構成されている。
【００１３】
本体部２は、図２に示すように、電源部１１、測定部１２、ロータリースイッチ１３（図１も参照）、切替部１４、表示部１５（図１も参照）、制御部１６、およびこれらの各部が収容または配設されるケース２ａ（図１参照）を備えて構成されている。
【００１４】
電源部１１は、テスタ１を構成する各部を作動させる作動用電力を生成する。
【００１５】
測定部１２は、図２に示すように、電源部１１によって生成された作動用電力の供給によって作動する複数の測定回路２０ａ〜２０ｃ（以下、測定回路２０ａ〜２０ｃを区別しないときには「測定回路２０」ともいう）を備え、プローブ３，３を介して入力した電気信号（交流信号や直流信号）についての複数の被測定量を測定可能に構成されている。この場合、例えば、測定回路２０ａは、被測定量としての交流電圧値（交流信号の被測定量）を測定し、測定回路２０ｂは、被測定量としての直流電圧値を測定し、測定回路２０ｃは、被測定量としての抵抗値を測定する。なお、３つの測定回路２０ａ〜２０ｃを備える構成に限らず、１つの測定回路２０で複数の被測定量を測定可能に構成することもできる。
【００１６】
交流電圧値を測定する測定回路２０ａは、図３に示すように、プローブ３，３を介して入力した交流信号に含まれる直流成分を除去するためのいわゆるバイパスコンデンサ（直流成分除去（カット）用のコンデンサ）であるコンデンサ２１を備えて構成されている。この場合、この測定部１２ａの回路構成では、測定部１２ａに作動用電力が供給されずに測定部１２（測定回路２０ａ）が作動しない電力供給停止状態（以下、「電源オフ状態」ともいう）では、それ以前にコンデンサ２１に電荷が蓄積されているときには、その電荷が自然放電される図外の自然放電経路が測定回路２０ａによる作動停止で遮断されて、コンデンサ２１に電荷が蓄積されたままの状態となる。なお、以下の説明において、測定部１２（測定回路２０ａ）が交流電圧値（交流信号の被測定量）を測定する状態を第１状態ともいい、測定部１２（測定回路２０ａ）が交流電圧値の測定を停止すると共にコンデンサ２１に蓄積された電荷が蓄積されたままの状態（つまり、電力供給停止状態）を第２状態ともいう。また、測定部１２（測定回路２０ｂ，２０ｃ）が交流電圧値以外の被測定量（直流電圧値および抵抗値）を測定する状態を第３状態ともいう。
【００１７】
ロータリースイッチ１３は、切替スイッチの一例であって、図４，５に示すように、回動部材３１および接点基板３２を備え、回動部材３１を回動させる回動操作（回動部材３１に対する操作）によって上記した第１状態、第２状態および第３状態を切替可能に構成されている。
【００１８】
回動部材３１は、移動部材の一例であって、図５に示すように、ダイヤル３１ａ（図１，４も参照）、ロッド３１ｂおよびアーム部３１ｃを備え、回動可能にケース２ａに取り付けられている。
【００１９】
ダイヤル３１ａは、図１，４に示すように、円板状に形成されて、図５に示すように、ケース２ａの正面パネル２ｂに配設されている。ロッド３１ｂは、同図に示すように、ダイヤル３１ａの中心部からケース２ａの背面パネル２ｃに突出するようにダイヤル３１ａに配設されている。アーム部３１ｃは、同図に示すように、ロッド３１ｂの先端部に配設されている。また、同図に示すように、アーム部３１ｃの中間部には、接点Ｃ１が配設されている。この場合、接点Ｃ１は、第１接点に相当し、回動部材３１を回動させる回動操作に伴い、図６に示す接点基板３２の表面における円弧状の移動経路Ｗ（同図において斜線を付した部位）上を移動する。
【００２０】
接点基板３２は、図４，６に示すように、基板本体３２ａと、基板本体３２ａの表面に配設された接点Ｃ２ａ〜Ｃ２ｃ（以下、区別しないときには「接点Ｃ２」ともいう）および接点Ｃ３ａ．Ｃ３ｂ（以下、区別しないときには「接点Ｃ３」ともいう）とを備えて構成されている。
【００２１】
各接点Ｃ２は、第２接点に相当し、測定回路２０毎（被測定量の種類毎）に設けられて、図６に示すように、測定回路２０毎に規定された移動経路Ｗ上の各位置に配設されている。具体的には、同図に示すように、移動経路Ｗの一端部（同図における左端部）の位置（図１における「ＯＦＦ」の文字が記載されている位置）が、第２状態としての電力供給停止状態（電源オフ状態）に対応する位置Ｐ２（第２位置）として規定され、位置Ｐ２の右側に測定回路２０ａが交流電圧値を測定する状態（第１状態）に対応する位置Ｐ１（第１位置：図１に示す「ＡＣＶ」の位置）が規定され、この位置Ｐ１に接点Ｃ２ａが配設されている。また、位置１の右側に測定回路２０ｂが直流電圧値を測定する状態（第３状態）に対応する位置Ｐ３ａ（図１に示す「ＤＣＶ」の位置）が規定され、この位置Ｐ３ａに接点Ｃ２ｂが配設されている。また、位置Ｐ３ａの右側に測定回路２０ｃが抵抗値を測定する状態（第３状態）に対応する位置Ｐ３ｂ（図１に示す「Ω」の位置）が規定され、この位置Ｐ３ｂに接点Ｃ２ｃが配設されている。
【００２２】
接点Ｃ３は、第３接点に相当し、図６に示すように、移動経路Ｗ上における位置Ｐ１と位置Ｐ２との間（第１状態と第２状態との切替えの際の移動経路Ｗ上）に規定された位置Ｐ４（第３位置）に配設されている。この場合、接点Ｃ３ａ，Ｃ３ｂは、図３に示すように、測定部１２における測定回路２０ａのコンデンサ２１の両端部にそれぞれ接続されている。この構成では、回動部材３１に対する回動操作に伴って接点Ｃ１と接点Ｃ３とが接続されたときには、コンデンサ２１が短絡させられる。このため、接点Ｃ１および接点Ｃ３は、コンデンサ２１に電荷が蓄積されている場合において、接点Ｃ１と接点Ｃ３とが接続されたときにコンデンサ２１を放電させる放電スイッチ２２（同図参照）として機能する。
【００２３】
このテスタ１では、回動部材３１を回動させる回動操作に伴ってアーム部３１ｃの接点Ｃ１が移動経路Ｗ上を移動して、接点Ｃ１と接点Ｃ２との接続および非接続が切り替えられることにより、上記した各被測定量を測定する状態（第１状態および第３状態）と電力供給停止状態（第２状態）との切替えが行われる。
【００２４】
また、このテスタ１では、上記したように、移動経路Ｗ上における位置Ｐ１と位置Ｐ２との間に接点Ｃ３を配設して、接点Ｃ１とこの接点Ｃ３とを放電スイッチ２２として機能させている。このため、このテスタ１では、コンデンサ２１に蓄積されている電荷を短絡放電させるための放電専用のスイッチを設け、処理部の処理によってこのスイッチを動作させる構成や、処理部の処理によってコンデンサ２１に蓄積されている電荷が自然放電される規定時間だけ表示を停止する構成とは異なり、構成が複雑となったり、規定時間が経過するまで測定が開始できないために操作性が低下したりするという不都合を解消して、構成の複雑化を回避しつつ操作性を向上させることが可能となっている。
【００２５】
切替部１４は、ロータリースイッチ１３の接点Ｃ１と各接点Ｃ２との接続および非接続に応じてプローブ３，３と各測定回路２０との接続および非接続を切り替える。
【００２６】
表示部１５は、図１に示すように、ケース２ａの正面パネル２ｂに配設されて、制御部１６の制御に従い、測定部１２によって測定された被測定量（交流電圧値、直流電圧値および抵抗値）を表示する。
【００２７】
制御部１６は、表示部１５を制御して、測定部１２によって測定された被測定量（交流電圧値、直流電圧値および抵抗値）を表示部１５に表示させる。
【００２８】
次に、テスタ１を用いて電気信号の被測定量を測定する測定方法、およびその際のテスタ１の動作について、図面を参照して説明する。なお、初期状態では、測定部１２における測定回路２０ａのコンデンサ２１には電荷が蓄積されていないものとする。
【００２９】
このテスタ１では、図１に示すように、ロータリースイッチ１３のダイヤル３１ａに付されているマーカーＭと正面パネル２ｂに付されている第２状態としての電源オフ状態（電力供給停止状態）を示すマーク（同図に示す「ＯＦＦ」のマーク）とが対向しているときには、図６に示すように、回動部材３１のアーム部３１ｃに配設されている接点Ｃ１（図５も参照）が、ロータリースイッチ１３の接点基板３２に形成されている接点Ｃ２ａ〜Ｃ２ｃ，Ｃ３のいずれにも接続していない。この状態では、測定部１２に作動用電力が供給されずに、測定部１２が作動しない電源オフ状態が維持される。
【００３０】
この電源オフ状態から、例えば、直流信号の直流電圧値（被測定量）を測定するときには、図７に示すように、ダイヤル３１ａを操作して同図に示す矢印Ａの向きに回動部材３１を回動させ、マーカーＭと正面パネル２ｂに付されている直流電圧値を示すマーク（同図に示す「ＤＣＶ」のマーク）とを対向させる。この際に、図８に示すように、接点Ｃ１が、移動経路Ｗ上を位置Ｐ２から位置Ｐ３ａまで移動して、接点Ｃ１が位置Ｐ３ａに位置したときには、接点Ｃ１と接点Ｃ２ｂとが接続される。
【００３１】
また、この状態では、電源部１１によって生成された作動用電力がロータリースイッチ１３の接点Ｃ１および接点Ｃ２ｂを介して測定部１２に供給されて、測定部１２の各測定回路２０が作動状態となる。また、切替部１４が、接点Ｃ１と接点Ｃ２ｂとの接続に応じて、プローブ３，３と測定部１２の測定回路２０ｂとを接続する。
【００３２】
次いで、プローブ３，３を測定対象に接触させる。この際に、測定部１２の測定回路２０ｂがプローブ３，３を介して直流信号を入力して、被測定量としての直流信号の直流電圧値を測定する。続いて、制御部１６が、表示部１５を制御して、図９に示すように、直流電圧値を表示部１５に表示させる。
【００３３】
次いで、直流電圧値の測定を終了して測定部１２を電源オフ状態とするときには、ダイヤル３１ａを操作して図９に示す矢印Ｂの向きに回動部材３１を回動させて、マーカーＭと正面パネル２ｂに付されている電源オフ状態を示す「ＯＦＦ」のマークとを対向させる（図１参照）。これにより、接点Ｃ１と接点Ｃ２ｂとの接続が解除されて（非接続状態となり）、測定部１２が電源オフ状態となる。
【００３４】
続いて、例えば、交流信号の交流電圧値を測定するときには、図１０に示すように、ダイヤル３１ａを操作して同図に示す矢印Ａの向きに回動部材３１を回動させて、マーカーＭと正面パネル２ｂに付されている交流電圧値を示すマーク（同図に示す「ＡＣＶ」のマーク）とを対向させる。この際に、図１１に示すように、接点Ｃ１が、移動経路Ｗ上を位置Ｐ２から位置Ｐ１まで移動して、接点Ｃ１が位置Ｐ１に位置したときには、接点Ｃ１と接点Ｃ２ａとが接続され、ロータリースイッチ１３の接点Ｃ１および接点Ｃ２ａを介して作動用電力が測定部１２に供給され、測定部１２の各測定回路２０が作動状態となる。また、切替部１４が、接点Ｃ１と接点Ｃ２ａとの接続に応じて、プローブ３，３と測定部１２の測定回路２０ａとを接続する。
【００３５】
次いで、プローブ３，３を測定対象に接触させる。この際に、測定部１２の測定回路２０ａがプローブ３，３を介して交流信号を入力する。また、測定回路２０ａは、交流信号に含まれる直流成分をコンデンサ２１で除去し、交流信号の交流成分に基づいて被測定量としての交流信号の交流電圧値を測定する。
【００３６】
続いて、制御部１６が、表示部１５を制御して、図１２に示すように、交流電圧値を表示部１５に表示させる。次いで、交流電圧値の測定を終了して測定部１２を電源オフ状態とするときには、ダイヤル３１ａを操作して同図に示す矢印Ｂの向きに回動部材３１を回動させ、マーカーＭと正面パネル２ｂに付されている電源オフ状態を示す「ＯＦＦ」のマークとを対向させる（図１参照）。これにより、接点Ｃ１と接点Ｃ２ａとの接続が解除され（非接続状態となり）、測定部１２が電源オフ状態となる。
【００３７】
この場合、この測定部１２の回路構成では、測定部１２（測定回路２０ａ）に作動用電力が供給されず測定部１２（測定回路２０ａ）が作動しない電力供給停止状態（電源オフ状態）では、コンデンサ２１に蓄積される電荷が自然放電される自然放電経路が遮断される。このため、交流電圧値の測定の際に電荷が蓄積されたコンデンサ２１は、電荷が蓄積されたままの状態となっている。
【００３８】
続いて、例えば、他の測定対象についての交流信号の交流電圧値を測定するときには、上記したように回動部材３１を回動させて、マーカーＭと交流電圧値を示すマークとを対向させる（図１０参照）。この際に、接点Ｃ１が移動経路Ｗ上を位置Ｐ２から位置Ｐ１まで移動する（図１１参照）。
【００３９】
ここで、このテスタ１では、図１３に示すように、移動経路Ｗ上における位置Ｐ１と位置Ｐ２との間の位置Ｐ４に、接点Ｃ１と共に放電スイッチ２２（図３参照）として機能する接点Ｃ３が配設されている。このため、接点Ｃ１が移動経路Ｗ上を位置Ｐ２から位置Ｐ１まで移動する過程において、接点Ｃ１と接点Ｃ３とが接続状態となり、その後に非接続状態となる。この場合、図３に示すように、接点Ｃ３ａ，Ｃ３ｂが測定回路２０ａのコンデンサ２１の両端部にそれぞれ接続されており、接点Ｃ１と接点Ｃ３とが接続状態となったときには、コンデンサ２１の両端部が短絡させられる。このため、コンデンサ２１に蓄積されている電荷が、接点Ｃ１と接点Ｃ３との接続によって放電（短絡放電）され、次いで、接点Ｃ１と接点Ｃ３とが非接続状態となったときには、コンデンサ２１の両端部の短絡が解除される。
【００４０】
一方、接点Ｃ１が位置Ｐ１に位置したときには、ロータリースイッチ１３の接点Ｃ１および接点Ｃ２ａを介して作動用電力が測定部１２に供給される。また、切替部１４が、接点Ｃ１と接点Ｃ２ａとの接続に応じて、プローブ３，３と測定部１２の測定回路２０ａとを接続する。
【００４１】
ここで、例えば、放電スイッチ２２として機能する接点Ｃ３を備えていない構成では、接点Ｃ１が位置Ｐ１に位置して測定回路２０ａが作動状態となったときに、測定対象の交流信号を入力していない状態であっても、コンデンサ２１に蓄積されている電荷が測定回路２０ａ内（つまり、図外の自然放電経路）を流れる。この際に、この構成では、この信号の電圧値を測定回路２０ａが測定して、その電圧値が表示部１５に表示されるため、使用者に違和感を与えるおそれがある。これに対して、接点Ｃ３を備えたこのテスタ１では、接点Ｃ１が位置Ｐ２から位置Ｐ１まで移動する過程において、接点Ｃ１と接点Ｃ３との接続により、コンデンサ２１に蓄積されている電荷が放電（短絡放電）されるため、このような表示によって使用者に違和感を与える事態が防止される。
【００４２】
次いで、プローブ３，３を測定対象に接触させる。この際に、測定回路２０ａでは、コンデンサ２１が、プローブ３，３を介して入力された交流信号に重畳されている直流成分を除去して、交流信号の交流成分を内部回路に供給する。次いで、この測定回路２０ａが交流信号の交流成分に基づいて被測定量としての交流信号の交流電圧値を測定する。続いて、制御部１６が、表示部１５を制御して、図１２に示すように、交流電圧値を表示部１５に表示させる。
【００４３】
次いで、交流電圧値の測定を終了して測定部１２を電源オフ状態とするときには、上記したように、図１２に示す矢印Ｂの向きに回動部材３１を回動させて、マーカーＭと正面パネル２ｂの「ＯＦＦ」のマークとを対向させる。これにより、測定部１２が電源オフ状態となる。
【００４４】
一方、交流電圧値の測定を終了した後に、測定部１２を電源オフ状態とすることなく、直流信号の直流電圧値（または、抵抗値）を測定するときには、ダイヤル３１ａを操作して図７，１０に示す矢印Ａの向きに回動部材３１を回動させて、マーカーＭと正面パネル２ｂに付されている直流電圧値を示す「ＤＣＶ」のマーク（または、抵抗値を示す「Ω」のマーク）とを対向させる。この際に、接点Ｃ１と接点Ｃ２ｂ（または、接点Ｃ２ｃ）とが接続され、作動用電力が測定部１２に供給され、測定部１２の各測定回路２０が作動状態となる。また、切替部１４が、接点Ｃ１と接点Ｃ２ｂ（または、接点Ｃ２ｃ）との接続に応じて、プローブ３，３と測定回路２０ｂ（または、測定回路２０ｃ）とを接続する。続いて、プローブ３，３を測定対象に接触させる。この際に、測定回路２０ｂ（または、測定回路２０ｃ）がプローブ３，３を介して入力した直流信号に基づいて被測定量としての直流信号の直流電圧値（または、抵抗値）を測定し、制御部１６が、直流電圧値（または、抵抗値）を表示部１５に表示させる。
【００４５】
この場合、この測定部１２の回路構成では、測定部１２に作動用電力が供給されている状態では、コンデンサ２１に蓄積されている電荷が自然放電される図外の自然放電経路（測定回路２０ａの内部回路）が遮断されないため、測定回路２０ｂ（または、測定回路２０ｃ）が被測定量を測定している間に、コンデンサ２１に蓄積されている電荷が自然放電される。したがって、例えば、直流電圧値（または、抵抗値）の測定を終了した後に交流電圧値を再び測定する際には、短絡放電を行うことなく（接点Ｃ１と接点Ｃ３とを接続させることなく）、接点Ｃ１と接点Ｃ２ｂ（または、接点Ｃ２ｃ）とが接続されている状態から、接点Ｃ１と接点Ｃ２ａとを接続する状態に切替えを行ったとしても、コンデンサ２１に蓄積されている電荷による信号の電圧値が交流電圧値として表示部１５に表示される事態が回避される。
【００４６】
このように、このテスタ１によれば、第１状態と第２状態との切替えの際の接点Ｃ１の移動経路Ｗ上に配設された接点Ｃ３を有して、切替えの際の接点Ｃ１の移動の過程において接点Ｃ１と接点Ｃ３とが接続されたときにコンデンサ２１を短絡させて放電（短絡放電）させる放電スイッチ２２として機能するようにロータリースイッチ１３を構成したことにより、放電専用のスイッチを設けて、処理部の処理によって放電専用のスイッチを動作させる構成や、処理部の処理によって規定時間だけ表示を停止する構成とは異なり、放電専用のスイッチを設けることによって構成が複雑となったり、規定時間が経過するまで測定が開始できないため操作性が低下したりするという不都合を解消して、構成の複雑化を回避しつつ操作性を十分に向上させることができる。
【００４７】
また、このテスタ１によれば、第１状態に規定する接点Ｃ１の位置である位置Ｐ１と第２状態としての測定部１２に作動用電力が供給されない状態に規定する接点Ｃ１の位置である位置Ｐ２とが移動経路Ｗ上で隣接し、移動経路Ｗ上における位置Ｐ１と位置Ｐ２との間の位置Ｐ４に接点Ｃ３が位置するようにロータリースイッチ１３を構成したことにより、接点Ｃ１を位置Ｐ２に位置させることによって測定部１２に作動用電力が供給されない状態となり、これによって直前の交流電圧値の測定において電荷が蓄積されたコンデンサ２１がそのままの状態となったとしても、次の交流電圧値の測定のために接点Ｃ１を位置Ｐ２から位置Ｐ１まで移動させる過程において、接点Ｃ１と接点Ｃ３との接続により、コンデンサ２１に蓄積されている電荷を確実に放電させることができる。このため、このテスタ１によれば、測定対象の交流信号を入力していない状態であるにも拘わらず、コンデンサ２１に蓄積されている電荷が測定回路２０ａ内を流れ、この信号の電圧値が表示部１５に表示される事態を確実に防止することができる。
【００４８】
なお、測定装置の構成は、上記したテスタ１の構成には限定されない。例えば、ロータリースイッチ１３における接点Ｃ２ａ〜Ｃ２ｃ，Ｃ３の位置関係は、上記した位置関係に限定されず、任意に変更することができる。具体的には、図１４に示すロータリースイッチ１３Ａのように、ロータリースイッチ１３における接点Ｃ２ａ〜Ｃ２ｃ，Ｃ３の位置関係を左右反転した位置関係に規定する構成を採用することもできる。なお、以下の説明において、上記したロータリースイッチ１３と同様の構成要素については、同じ符号を付して、重複する説明を省略する。
【００４９】
また、上記したロータリースイッチ１３に代えて、図１５に示すロータリースイッチ１１３を採用することもできる。このロータリースイッチ１１３では、同図に示すように、位置Ｐ４に配設した接点Ｃ３に加えて、移動経路Ｗ上における位置Ｐ１と位置Ｐ３ａとの間に規定された位置Ｐ５にも接点Ｃ３ａ，Ｃ３ｂが配設されている。また、このロータリースイッチ１１３を備えたテスタ１では、測定部１２における測定回路２０ａ以外の測定回路２０（上記の例では、測定回路２０ｂ，２０ｃ）が被測定量を測定しているときには測定回路２０ａに作動用電力が供給されずに図外の自然放電経路が遮断される構成が採用されている。このロータリースイッチ１１３を備えたテスタ１によれば、直流電圧値または抵抗値の測定（第２状態）から交流電圧値の測定（第１状態）への切替えのために接点Ｃ１を位置Ｐ３ａまたは位置Ｐ３ｂから位置Ｐ１まで移動させる過程において、接点Ｃ１と位置Ｐ５に配設された接点Ｃ３との接続により、コンデンサ２１に蓄積されている電荷を短絡放電させることができる。このため、このロータリースイッチ１１３を備えたテスタ１においても、構成の複雑化を回避しつつ操作性を十分に向上させることができる。
【００５０】
また、上記したロータリースイッチ１３に代えて、図１６に示すロータリースイッチ２１３を採用することもできる。このロータリースイッチ２１３では、同図に示すように、ロータリースイッチ１３における電力供給停止状態（電源オフ状態）に対応する位置Ｐ２が規定されず、かつロータリースイッチ１３における位置Ｐ４に相当する位置には接点Ｃ３が配設されていない。また、このロータリースイッチ２１３では、移動経路Ｗ上における位置Ｐ１と位置Ｐ３ａとの間に規定された位置Ｐ５に接点Ｃ３が配設されている。また、ロータリースイッチ２１３を備えたテスタ１では、作動用電力を供給しない状態で作動する（作動用電力が不要な）測定部１２（アナログメータ）が採用されている。このロータリースイッチ２１３を備えたテスタ１によれば、直流電圧値または抵抗値の測定（第２状態）から交流電圧値の測定（第１状態）への切替えのために接点Ｃ１を位置Ｐ３ａまたは位置Ｐ３ｂから位置Ｐ１まで移動させる過程において、接点Ｃ１と位置Ｐ５に配設された接点Ｃ３との接続により、コンデンサ２１に蓄積されている電荷を短絡放電させることができる。このため、このロータリースイッチ２１３を備えたテスタ１においても、構成の複雑化を回避しつつ操作性を十分に向上させることができる。
【００５１】
また、移動部材の一例としての回動部材３１を備え、回動部材３１に対する操作としての回動操作によって上記した第１状態、第２状態および第３状態を切替可能な切替スイッチの一例としてのロータリースイッチ１３に適用した例について上記したが、移動部材としてのレバーを備え、レバーを直線的にスライドさせるスライド操作（移動部材に対する操作）によって上記した第１状態、第２状態および第３状態を切替可能な切替スイッチとしてのスライドスイッチに適用することもできる。また、このようなスライドスイッチを備えて、測定装置としてのペンシル形テスタを構成することもできる。
【００５２】
また、交流信号の被測定量としての交流電圧値を測定する構成に適用した例について上記したが、交流信号の被測定量としての交流電流値を測定する構成や、交流電圧値および交流電流値の双方を測定する構成に適用することもできる。
【００５３】
また、交流信号の被測定量と、交流信号の被測定量以外の他の被測定量（上記の例では直流電圧値および抵抗値）を測定する構成に適用した例について上記したが、交流信号の被測定量だけを測定する構成に適用することもできる。この場合、交流信号の被測定量を１つだけ測定する構成（１または複数の被測定量のうちの１つの被測定量を測定する例）、交流信号の被測定量を複数測定する構成のいずれにも適用することができる。
【符号の説明】
【００５４】
１  テスタ
１１  電源部
１２  測定部
１３，１１３，２１３  ロータリースイッチ
２０ａ〜２０ｃ  測定回路
２１  コンデンサ
２２  放電スイッチ
３１  回動部材
Ｃ１，Ｃ２ａ〜Ｃ２ｃ，Ｃ３  接点
Ｐ１，Ｐ２，Ｐ４  位置
Ｗ  移動経路
【図１】
2019124512.tif 000003
【図２】
2019124512.tif 000004
【図３】
2019124512.tif 000005
【図４】
2019124512.tif 000006
【図５】
2019124512.tif 000007
【図６】
2019124512.tif 000008
【図７】
2019124512.tif 000009
【図８】
2019124512.tif 000010
【図９】
2019124512.tif 000011
【図１０】
2019124512.tif 000012
【図１１】
2019124512.tif 000013
【図１２】
2019124512.tif 000014
【図１３】
2019124512.tif 000015
【図１４】
2019124512.tif 000016
【図１５】
2019124512.tif 000017
【図１６】
2019124512.tif 000018